(57)【特許請求の範囲】
【請求項１】
ボールキャスターを備える便座と、
前記ボールキャスターが配置される円周状の溝を上面に有する便器本体と、を含む便器であって、前記便器本体は、前記円周状の溝の外周に円周状の凸部を備え、前記便座は前記円周状の凸部に被さるボールキャスター土台外周部を備え、前記便座は前記便器本体に対して水平方向に回転可能であって、前記便座は前記ボールキャスター土台外周部の外側に転倒防止突起をさらに含む、トイレ。
【請求項２】
前記円周状の溝は、前記円周状の溝の幅よりも大きい直径を有する半球状の溝を有する、請求項１に記載のトイレ。
【請求項３】
前記便座は、上下方向に可動する手すりを備えた背もたれをさらに含む、請求項１又は２に記載のトイレ。
【請求項４】
請求項１乃至３のいずれか一項に記載の便器を含むトイレユニット。
【発明の詳細な説明】
【技術分野】
【０００１】
本発明は、便座を便器本体に対して水平方向に回転させることで、利用者がトイレの配置にとらわれずに、また体の向きを気にせずにトイレの空間内で移動し、利用できるものであり、年齢や性別、体格や人種、障害の有無に拘らず、すべての人にとって快適で不自由なく便利に、且つ安全で安心して利用することができるユニバーサルデザインによる円錐台形状の回転トイレである。
【背景技術】
【０００２】
従来のトイレは、便器本体が床面に固定されており、トイレの配置場所に合わせて行動を取らざるを得ず、不自然な動線となってしまっていた。
【０００３】
それ故に、車椅子や杖をついている障害者や高齢者などがトイレの空間内で体の向きを変えなければならず、バランスを崩すなど危険を伴い、極めて不便であった。
【０００４】
特許文献１には、その不便さを解決するために、従来の便器の中心に回転軸を設け、意図しない回転を抑止する為のブレーキシステムを備えた回転トイレが記載されている。
【０００５】
特許文献２には、便器本体と便座との間にキャスターローラーを４個設けた回転盤によって回転する回転トイレが記載されている。
【先行技術文献】
【特許文献】
【０００６】
【特許文献１】特開２００３−１４７８４２号公報
【特許文献２】実開平０３−００９６９５号公報
【発明の概要】
【発明が解決しようとする課題】
【０００７】
特許文献１の回転軸を利用した回転の場合は、本来の用を足す目的以外に回転を可能とするための回転軸が必要となるうえ、回転し続ける危険性を伴い、その意図しない回転を防ぐブレーキシステムも新たに装備しなければならない。
【０００８】
また、回転軸を設ける場合には、配水管が狭まることで詰まり、水洗威力が落ちることが予想され、それを補うために新たな排水構造を考えなければならなくなることも予想される。
【０００９】
特許文献２のキャスターローラーを設けた回転盤による回転の場合は、回転の際にキャスターローラーが便器上部に設けられているU字溝内で引っかかったり、横ずれを起こしたりして円滑な回転ができないことが予想される。また、利用者が便座に座った際に４か所のみに設けられたキャスターローラーでは個々のローラーにかかる体重の力が大きく、座ったままで回転することができないことも予想される。
【課題を解決するための手段】
【００１０】
本発明のトイレは、ボールキャスターを備える便座と、ボールキャスターが配置される円周状の溝を上面に有する便器本体と、を含むトイレであって、便座は、便器本体に対して水平方向に回転可能である。
【発明の効果】
【００１１】
本発明のトイレは、便座にボールキャスターを有し、便器本体上面に便座の回転時にボールキャスターが通る溝を有する為、大きな力をかけなくても回転可能で、しかも横ずれしないので、体が不自由な人や力の弱い人でも利用することが可能である。
【００１２】
従来、看護師は入院患者の患部、特に骨折部位や左右の患部位置を意識して、患部にストレスがかかりにくく、患者自身が転倒等の危険を出来るだけ避けられるようにと病棟内のベッドの位置を移動したり、病棟内にあるいくつかのトイレの中でも便器の配置場所や向きに合わせて、誰がどこのトイレを使うか等、考慮したりしていたが、本発明は利用者の動きに合わせて、便座の向きを３６０度どの方向にでも変えられるので、従来気を使って考えていた前記のことはしなくてもよい。
【図面の簡単な説明】
【００１３】
【図１】本発明の実施例１のトイレの斜視図である。
【図２】本発明の実施例２のトイレットペーパーホルダーを手すりに装備した場合のトイレの斜視図
【図３】本発明の実施例１の手すりを降ろした状態でのトイレ側面図である。
【図４】本発明の実施例２のトイレットペーパーホルダーを降ろした状態の手すりに装備した場合のトイレ側面図である。
【図５】本発明の実施例１のトイレの断面図である。
【図６】本発明の実施例１のトイレ断面図の拡大図である。
【図７】本発明の実施例１の便器本体の背面図である。
【図８】本発明の実施例１の便座表面、及び座面を示す図である。
【図９】本発明の実施例１の便座裏面を示す図である。
【図１０】本発明の実施例１の便器本体を真上から見た図である。
【図１１】本発明の実施例１、及び２のトイレを含むトイレユニットであってトイレを中央に配置した状態の図である。
【図１２】本発明の実施例１、及び２のトイレを含むトイレユニットであって、トイレユニットの中央で半分に分割し、トイレと洗面所を２か所に配置した状態の図である。
【発明を実施するための形態】
【００１４】
本発明のトイレについて実施例１を用いて説明する。
【００１５】
図１は本発明の実施例１のトイレ斜視図である。なおトイレ1は便座３と便器本体２とを含むものとし、また便器本体２とは、便座３を上に乗せる筒状の構造体とする。
【００１６】
便座３は、円形の形状を成し、便座３の表面、及び座面は便座開口部４に向けてわずかに傾斜し、座りやすい形を成す。また、便座３は従来の便座とほぼ同程度の厚みを持ち、便座ヒーターや温水洗浄器などの構造を含むことも可能である。
【００１７】
便座３が円形の形状を成すため、従来よりも幅のある便座となり、体の大きな人も小さな人もどのような人でも大きさを気にせずに快適に利用できる。
【００１８】
便座３座面には、セルエアークッション及びクッションを備えて、座面の除圧、分散を図ってもよい。こうすることで、お年寄りに多く見られた従来のプラスチック便座で長時間座っている故に坐骨に大きな力がかかり、その部分が赤くなってしまい場合によっては褥瘡等を招く、危険性も回避できる。
【００１９】
けれども便座３座面に、セルエアークッションを設ける場合には単に柔らかくするのではなく、座面の水平を維持し、且つ除圧、分散に優れた座面クッションにすることが重要である。なぜなら、座面が柔らかすぎる場合、便座開口部の内側に向かって座が押し曲げられて、便座座面が凹部になり、大腿骨が内側に回転してしまう危険性があるからである。また、可能な限り清掃の簡便性と清潔さ、衛生面に配慮した素材と耐久性に優れたものを選ぶことも重要である。
【００２０】
便座３には、上記に記載したものの他に便座開口部４と、便座可動部５と、背もたれ６とを備える。
【００２１】
便座３に設けられた便座開口部４は、楕円形、及び両端が円形の長方形の穴で、従来の便座に空いているものとほぼ同形状であり、穴の幅や長さも同程度であるが、大人用と子供用などに違いがあるように、適宜穴の大きさは調整してもよい。便座開口部４を従来のままの楕円形、及び両端が円形の長方形状にするのは、座りやすく、用を足しやすいことからである。
【００２２】
便座開口部４は、便座３のように開口部に向けて傾斜し、座りやすく、用を足しやすい構造になっている。
【００２３】
便座開口部４は、便座３の中心部に配置し、背もたれ６の備えられた反対側の対角線上の位置、つまり便座３の前側約５ｃｍ前後の位置に縦方向に配置する。その為、便座開口部４の配置位置関係は便座３の前側に比べ、背もたれ６の前面、つまり背中が触れる部分とのほうが距離を有する。
【００２４】
また、便座開口部４の縦方向（着座した人間の前後方向）の端部は、背もたれ６の両側面に備えられた手すり７を降ろした時の位置とほぼ平行関係にあり、手すり可動部８を備える背もたれ６の両側面の延長線上ともほぼ平行である。
【００２５】
便座３に設けられた便座可動部５は、便座開口部４と背もたれ６の前面とのほぼ中間部分に位置し、便座３の裏面に結合したボールキャスター１１の妨げにならないように設けられている。
【００２６】
便座可動部５は、便座開口部４を含む便座３側と背もたれ６を含む便座３側を蝶番のようなもので連結し、便座を上げる際に背もたれ６側に向かって上向きに可動する。
【００２７】
その際、便座可動部５を構成する蝶番などの突起が利用者の体に触れないよう、蝶番などの突起は便座３の座面側ではなく、便座３の裏面側に出るようにする。
【００２８】
便座３座面に備えられた背もたれ６は、Ｔ字型の逆形状で、便座可動部５を境に便座開口部４の反対側の便座３側に位置する。
【００２９】
また、背もたれ６の両側面は、便座開口部４の縦方向側面に対して平行である。
【００３０】
背もたれ６の外側は、便座３や便器本体２の円形形状と同じ円形の曲線を描いており、便座３と便器本体２の外周側面から延長線上に伸びている。
【００３１】
背もたれ６の内側は、利用者の背中が丸くなりすぎないよう、背もたれ６の外側よりも緩やかな曲線を描き、背もたれ６下部から上部に向けて背もたれの厚みを減らす。その為、背もたれ６の下部の厚みと上部の厚みを比較すると下部のほうが厚い。
【００３２】
また、背もたれ６の内側には背中のある一点に圧がかかりにくく、人それぞれ違う体格、背中の形に合わせて心地よい形状へと変形するセルエアークッション、及びクッション等を備えてもよい。その場合は、清掃の簡便性と清潔さを図れる素材を選ぶことが好ましい。
【００３３】
背もたれ６の内側にセルエアークッションを利用する目的とは、背中のある一点に圧がかからないよう体圧を分散させ、均圧化することである。なぜなら、背もたれ６によりかかる人の多くは思うように体を動かせず、背中の向きを変えられなかったり、背中の感覚が鈍かったりする人で、そのような人が長時間トイレを利用する際には、特に背中の後頭部、肩甲骨部、仙骨部に床ずれを起こすことが多くあるからである。
【００３４】
背もたれ６は、手すり７と、手すり可動部８と、手すり土台９と、転倒防止突起１３とをさらに備える。
【００３５】
また、背もたれ６の両側面には手すり可動部８を備えるための溝を設けており、その溝は背もたれ６の両側面と同じく垂直に設けられていて、手すり可動部８を備えることができる。その為、手すり７を降ろした際にも手すり７同士が接触、並びに体が手すり７に接触することはない。
【００３６】
背もたれ６に備えられた手すり７は、従来使われている幅広の手すりと同等のもので、長さは背もたれの上部と同じぐらいのものであるが、適宜パイプ状の手すりを用いてもよい。
【００３７】
手すり７は、手すり可動部８に結合していて、手すり可動部８を支点に上下方向に可動する。その為、使用時には降ろし、未使用時には背もたれ６側に立ち上げて収納することが可能で、移動等、行動の妨げにならない。
【００３８】
背もたれ６に備えられ、手すり７に結合している手すり可動部８は、手すり７と同程度の大きさで、背もたれ６の両側面に設けられている穴に垂直に配置されている。
【００３９】
手すり可動部８は、安全性を決める重要な部分の一つであって、利用者がかける全体重を支えられるだけの強度を持ち、耐久性にも優れたものを使用する。また、ブレーキ機能を併合する手すり可動部を用いてもよい。
【００４０】
背もたれ６に備えられた手すり土台９は、背もたれ６の下部両端、つまり利用者の腰の位置に設けられ、背もたれ６の一部である。
【００４１】
手すり土台９の外側は、便座３、並びに便器本体２の円形形状に合わせて同じ円形の曲線を描いており、背もたれ６の外側と同じく便座３と便器本体２の外周側面から延長線上に伸びている。
【００４２】
また、手すり土台９の内側も背もたれ６の内側と同じ要領で、手すり土台９の外側よりも緩やかな曲線を描いている。
【００４３】
手すり土台９は、名称から連想する手すり７の土台としての役割はなく、背もたれ６と手すり７との関係に安定感をもたらすものであり、利用者の腰をサポートする役割がある。
【００４４】
背もたれ６に備えられている転倒防止突起１３は、その名の通り転倒を防止するものであり、背もたれに６に体重をかけた際に転倒防止突起１３が便器本体２の外周に触れるので、背もたれ６及び便座３が、便器本体２から外れることを防ぎ、利用者の転倒を防止できるものである。
【００４５】
転倒防止突起１３は、転倒防止突起１３は、便座３、並びに便座３に備えられた背もたれ６の外側下部に結合しており、便器本体２の外周側の床面方向に伸びていて、背もたれ６の外側背面や便座３、便器本体２の外周と同じ曲線を描き、便器本体２との間に若干の隙間を有するので、便座３を回転する際にもその回転を妨げる心配がない。
【００４６】
転倒防止突起１３には、特に背もたれ６によりかかる際に大きな力がかかることから、強度と耐久性に優れたものを使用する。
【００４７】
また、転倒防止突起１３の内側、つまり便器本体２の外周側にはシリコーンラバー１５を備えてもよい。
【００４８】
もともと転倒を防止する効果をもつ転倒防止突起１３に更にシリコーンラバー１５を備えることで、便器本体２外周と転倒防止突起１３の内側に抵抗が生じ、より一層転倒の危険性を回避できる。
【００４９】
また、背もたれ６に体重をかけた状態ではその抵抗ゆえに便座３を回転させることができなくなるので二重のブレーキ機能と安全機能を兼ね合わせられる。
【００５０】
シリコーンラバー１５を利用する利点は、トイレ１の形状に合わせて成形させやすく、耐久性があり、掃除がしやすく、交換も容易であることにある。
【００５１】
便座３の裏面には、図９に示すようにボールキャスター１１と、ボールキャスター土台１２と、ボールキャスター土台外周部１４とを備える。
【００５２】
便座３裏面に備えられたボールキャスター１１は、一定の間隔を置いて円周状に配置され、便座３の裏面の円周上に結合しているボールキャスター土台１２に１２個ほど下向きに嵌合される。ボールキャスター１１の数は、適宜増やしても減らしてもよいが、少なすぎると個々のボールキャスターにかかる力が大きくなり、回転に支障をきたすので、利用者の体重等を考慮して設ける必要がある。
【００５３】
ボールキャスター１１のボールの直径は、およそ２０ｍｍから２５ｍｍ前後で、下向き用を使用する。
【００５４】
ボールキャスター１１は、円周状の溝１６に沿って動くことができるため、便座３を回転させることができる。
【００５５】
ボールキャスター１１を利用する利点は、掃除がしやすく、万一破損、及び汚れ等で使用不能になったとしても容易に交換でき、コストも削減できることにある。
【００５６】
ボールキャスター１１は、ボールキャスター土台１２に配置される。
【００５７】
ボールキャスター土台１２は、便座３の裏面円周上に配置され、便器本体２の内側、及び便座開口部４の便器本体２の穴側に配置されている。また、便器本体２の一部である円周状の凸部１８との間にわずかな隙間ができるように配置する。
【００５８】
図９のようにボールキャスター土台１２は、便座３の裏面円周上に分割されずに一体に結合し、配置されるものの、便座可動部５の部分のみは一部ボールキャスター土台１２が分割され、便座可動部５が可動するようになっている。本発明は前記記載の通りだが、ボールキャスター土台１２を便座３の裏面円周上に一体に設けず、一定の間隔を置いてボールキャスター１１が嵌合する部分だけに個別に設けてもよい。
【００５９】
ボールキャスター土台１２は、万一思わぬ力が便座３、並びに便器本体２の内側から外側に向かって働いたとしても円周状の凸部１８に接触するので、便座３が転倒する危険性はなく安全装置の役割も果たす。
【００６０】
ボールキャスター土台１２の外側、つまり便器本体２の外周側にシリコーンラバー１５を備えてもよい。転倒防止突起１３と同じく何もつけていないボールキャスター土台１２の状態よりもシリコーンラバー１５を備えたボールキャスター土台１２のほうが、円周状の凸部１８に接触した際に大きな抵抗を生み、回転することもなく、転倒する危険性も回避できる。
【００６１】
本発明のボールキャスター土台１２の形状は台形に近いが、ボールキャスター１１を嵌合できれば棒状でも、他のどのような形状のものでもよい。
【００６２】
ボールキャスター土台外周部１４は、ボールキャスター土台１２と転倒防止突起１３の中間に設けられていて、便器本体２の円周状の凸部１８を覆う形になる。
【００６３】
便器本体２は円錐台形状、すなわちすり鉢型形状である。このため、便座３と背もたれ６はすり鉢型形状の便器本体２の外周の延長線上にあり、一体感がもたらされる。
【００６４】
便器本体２のすり鉢型形状と便座３の円形形状により、便器本体２、並びに便座３などの中心に回転軸を設けずして、便座を回転させることができ、便座３を回転させても車椅子や杖などが回転を妨げることはないのでそれらの車いすや杖等を便座の回転範囲内から外に移動する必要もなくなる。
【００６５】
また、便器本体２が円錐台形状、すり鉢型であるので、便座３をどの向きに回転させても膝を曲げて、脚を便器本体２の下部に入れられるので膝に力を入れやすく、立ち上がりやすくなり、体の弱い人でも楽に立ち上がれる。
【００６６】
便座３の接する便器本体２の上面内側には、ボールキャスター１１が通る円周状の溝１６と、半球状の溝１７とを有し、上面外側には円周状の凸部１８とを有する。
【００６７】
便器本体２内側に設けられた円周状の溝１６は、便器本体２の便座３の接する上面内側、つまり便座３の一部であるボールキャスター土台１２に嵌合したボールキャスター１１が接する位置に円周上に設けてあり、ボールキャスター１１が通過するレールのような役割を果たす。
【００６８】
円周状の溝１６は、ボールキャスター１１の頭の一部が嵌り、便座３がその溝の上を円滑に回転するような浅い溝である。
【００６９】
円周状の溝１６内に設けられた半球状の溝１７は、円周状の溝１６の円周上にあり、ボールキャスター１１と同じ一定の間隔を置いて設け、ボールキャスター１１と同数設ける。
【００７０】
半球状の溝１７は、ボールキャスター１１とほぼ同程度か僅かに大きい径を有する。ボールキャスター１１が円周状の溝１６を通って便座３が回転し、そして、ボールキャスター１１が、半球状の溝１７を通過する際は、半球状の溝１７は円周状の溝１６よりも深いため、回転させるための抵抗がかかる。このため、半球状の溝１７は、便座３が容易に回転し続けることを防ぎ、便座３を固定させる役割を果たす。
【００７１】
円周状の凸部１８は、便器本体２の外周に沿って便座３の接する上面に設けられている、便器本体２の一部である。
【００７２】
円周状の凸部１８の内側には、シリコーンラバー１５を備えてもよいが、清掃の簡便性を考慮すると、ボールキャスター土台１２や転倒防止突起１３に備える方が好ましい。
【００７３】
本発明の実施例２について説明する。
【００７４】
本発明の実施例２は本発明の実施例１の手すり７の左右にトイレットペーパーホルダー１０を備えた状態を示し、トイレットペーパーホルダー１０は適宜備えてもよい。
【００７５】
その際は、トイレットペーパーホルダー１０を背もたれ６の前面、つまり手すり７を降ろした際の下部、床面側に備える。
【００７６】
トイレットペーパーホルダー１０を備える利点とは、便座３をどの向きに回転させても利用できることにあり、また未使用時には手すり７を背もたれ６側に収納することができることにある。
【００７７】
トイレットペーパーホルダー１０を収納する場合、背もたれ６のちょうど利用者の首元あたりに出っ張る為、首が当たってもプラスチックの突起物として不快感を与えないようにトイレットペーパーホルダー１０の特に首が触れる部分にセルエアークッション並びにクッションを設けて、ヘッドレストの役割を果たしてもよい。
【００７８】
また、手すり７の下面部、すなわち床面側のトイレットペーパーホルダー１０を備える側にレールのような溝を設けてもよく、そのレールにトイレット―ペーパーホルダー１０を備えれば、様々な位置にトイレットペーパーホルダー１０を可動させ、一層使いやすい位置に設けることも可能である。
【００７９】
実施例１、及び実施例２のトイレを備えたトイレユニット２０について説明する。
【００８０】
本発明のトイレ１を含むトイレユニット２０は、耐久性と成形性に配慮してＧＦＲＰ、すなわちガラス繊維強化ポリエステル樹脂で作り、パネル構成とし、パネルを組み合わせていくことで施工性に配慮している。また、パネルの数を増やしたり、減らしたりすることでトイレユニット２０の空間を広くも狭くもできる。
【００８１】
また、本発明のトイレ１を含むこのトイレユニット２０は従来の多くのトイレユニットのようにではなく、対角線上にトイレユニットドア２１を設ける。これによって、入室時のドアと退室時のドアを変えることで、トイレ空間内での方向転換を必要とせず、便利で楽に利用できる。
【００８２】
誰もが利用できるこれらのトイレユニット２０は、より広いスペースの確保と快適な利用が可能になり、現代の超高齢社会にあって、介護施設や公共施設、駅構内やデパート、ショッピングモールなどに設置することを想定する。
【００８３】
図１１は、本発明のトイレ１の特性、つまり３６０度どの向きにも回転し、どの向きでも利用できる特性を最大限生かす形として、トイレユニット２０の中央にトイレ１を配置するものである。
【００８４】
このユニットは、３６０度どこにも壁がないのでまさにどの方向からでも利用でき、円形のトイレ空間の外に介護ベッド２２用の空間と洗面所２３の空間を新たに設けることで、広い空間を実現させることが可能である。
【００８５】
図１２は、トイレユニット２０を中央で半分に分割し、左右の２つのユニットに分けたもので本発明のトイレ１をトイレユニット２０の壁側に沿わせて配置し、洗面台をトイレ１の横の壁面に配置させたものである。
【００８６】
特にこのトイレユニット２０は、単純な動線を可能とすることを意識したもので、片側のドアから入室した際にほぼ直線の動線で用を足し、手を洗い、退室することができる画期的なものである。
【００８７】
また、円形のトイレユニット２０内に左右のユニットを分割する内部壁面２４を設けることで、ユニットを増やしつつ、快適に利用できるようにしたものである。
【００８８】
これらトイレのユニット２０は、公共施設等を目的に考案されたものであるが、一般家庭で利用する際には規模を小さくし、配置を変えて、従来のトイレ空間よりも快適にすることが可能であり、ユニバーサルデザインによるトイレ１はどの年齢層でも快適に便利に利用でき、年をとっても使い続けることが可能である。
【００８９】
［効果］
次に本発明の効果について説明する。
［１］
・ボールキャスターを備える便座と、ボールキャスターが配置される円周状の溝を上面に有する便器本体とを含み、便座が便器本体に対して水平方向に回転可能であるトイレは、回転軸や回転盤を用いずに便座を回転させることができるので本来のトイレの目的である用を足すこと以外の不必要な構造や設備は不要であり、全体的に統一感が図れる。
・また、従来の排水構造とほぼ同じようにできるので、配水管が狭まることで詰まり、水洗威力が落ちることもない。
・便器本体が円錐台形状であることにより水の抵抗が従来の楕円形状の便器よりも少なく、洗浄水の水量を従来の節水型トイレに比べより一層節水できる。
・便座が円形の形状を成すため、従来よりも幅のある便座となり、体の大きな人も小さな人もどのような人でも大きさを気にせずに快適に利用できるユニバーサルデザインのトイレである。
・また、便座自体を回転させることが可能なので、利用者がトイレ、及び便器の配置にとらわれずに、体の向きを一切気にせずにトイレを利用でき、人がトイレに合わせるのではなく、トイレが人に合わせてくれるようになる。
・また、便座、及び便器本体が円錐台形状であり、ボールキャスターが円周状の溝と半球状の溝を通ることで便座３が回転する本発明は、極めて単純な構造な為、耐久性に優れ、清掃の簡便性も図れ、清潔な状態を長く維持し、利用できる。
・そして、ボールキャスターはボールキャスター土台に設けられており、便座の裏面の手の届くところにある為、分解等をせず簡単にボールキャスターを交換することができるので、万一の破損、並びに汚れ等で使用不能になっても簡単に交換でき、管理が楽である。
・また、ボールキャスターはどこにでも売っている一般的な普通の部品であることから、誰にでも交換ができ、コストも削減できる。
・円周状の溝は、便器本体の上面に僅かな溝、窪みとして設けられるので、Ｕ字溝等のような深い溝でないので、掃除がしやすく、容易に成形も可能である。
【００９０】
［２］
・円周状の溝の外周に円周状の凸部を備え便器本体と、円周状の凸部に被さるボールキャスター土台外周部を備える便座とを含むトイレは、円周状の凸部の便器本体の内側、及び穴側とボールキャスター土台の便器本体外側の出っ張りが互いに作用しあい、壁のような役割を果たすため、中から外に汚れが飛散することを防げる。
・また、ボールキャスター土台外周部と円周状の凸部が互いに被さる構造の為、転倒を防ぐことができる。
【００９１】
［３］
・円周状の溝の幅よりも大きい直径を有する半球状の溝を含むトイレは、ボールキャスターが円周状の溝を通って回転する際にボールキャスターと同数設けられた半球状の溝に９割近く嵌るので、便座が回転し続けることを防ぎ、便座を一時固定させることが可能であり、意図しない便座の回転を防ぐことができる。その為、大掛かりなブレーキシステム等の構造も必要ない。
・ボールキャスターが半球状の溝に完全に嵌るわけではないので、僅かな力を加えるだけで、再び便座を回転させることが可能である。
・Ｕ字溝やその他複雑な構造を用いず、便座と便器本体の円錐台形形状とボールキャスター、そして円周状の溝と半球状の溝だけを用いて、便座を回転可能にするので分解して細かいところの掃除等をする必要はなく、従来のトイレ掃除と同じ要領で済み、清掃の簡便性が図れる。
【００９２】
［４］
・ボールキャスター土台外周部の外周に転倒防止突起を有する便座を含むトイレは、便器本体外周と転倒防止突起との間に僅かな隙間を持たせることで、便座を回転させてもその回転を妨げることがない。
・また、背もたれ等に体重をかけた際には、便器本体と転倒防止突起との間の隙間がなくなり、転倒防止突起が便器本体の外周に触れるので転倒を防止できる。
・また、転倒防止突起の内側、すなわち便器本体側面にシリコーンラバーを備えることで、便器本体外周と転倒防止突起の内側に抵抗が生じるのでより一層転倒の危険性を回避し、且つ、背もたれに体重をかけた状態ではその抵抗ゆえに便座を回転させることができなくなるので二重のブレーキ機能と安全機能を兼ね合わせられる。
【００９３】
［５］
・上下方向に可動する手すりを左右に備えた背もたれを含むトイレは、３６０度どの方向に便座を回転させても手すりを利用でき、新たに後付けする必要がない。
・また、未使用時に背もたれ側に手すりを可動し、収納することができるので行動の妨げにもならない。
・上下方向に可動する左右の手すりにトイレットペーパーを備える場合も同じで、３６０度どの方向に便座を回転させてもトイレットペーパーを使えるだけでなく、手すりのどの部分にトイレットペーパーを取り付けるのかその位置にも気を配れば、利用者が不自由な姿勢をとらずして、快適な姿勢のままでトイレットペーパーを切って、使用できる。
・また、背もたれの左右に手すりとトイレットペーパーホルダーを備えるので片方の手が不自由で使えなくても大乗である。
・また、手すりの下面部、すなわち床面側のトイレットペーパーホルダーを備える側にレールのような溝を設けてもよく、そのレールにトイレット―ペーパーホルダーを備えれば、様々な位置にトイレットペーパーホルダーを可動させ、一層使いやすい位置に設けることも可能である。
・また、背もたれや手すりが便座に備え付けてあることで、座る前に便座を回転させたい時に掴むところがなくやむを得ず便座を持って回転させるような不衛生で、不便なことをせずに、背もたれや手すりなどを持って便座を回転させることが可能である。
【００９４】
［６］
・請求項１乃至５のいずれか一項に記載の便器を含むトイレユニットは、本発明のトイレの特性を最大限に生かすものであり、単純な動線を可能とし、限られた空間でトイレを多く設置することが可能である。
・また、トイレユニットの形状を円形乃至円柱型に近く、丸みを持たせることで、メンタル面でのリラックス効果が得られ、使いやすい。
・また、トイレユニットの中央にトイレを据え、その周囲を囲むように洗面台や介護ベッドを連結させた半円状のユニットを設置することで、より広いスペースの確保と快適な利用が可能になる。
・トイレユニットをパネル構成としてパネルを組み合わせていくことで、施工性に配慮した。
・また、このトイレユニットは従来の多くのトイレユニットのようにではなく、対角線上にトイレユニットドアを設けるので、入室時のドアと退室時のドアを変えることで、トイレ空間内での方向転換を必要とせず、便利で楽に利用できる。
・このユニットは超高齢社会の現代において、公共施設や駅構内、介護施設などで利用することが可能であり、今後の実用化に大いに期待が持てる。
・トイレとトイレユニットのシステム全体の構成は、開放感のある空間やユニバーサル性に配慮した装備をトータルな観点から提供することで、トイレは不浄というイメージを少しでも払拭し、快適空間への転換実現に配慮した。
・これらのユニットは高齢者や障害者に留まらず、健常者や妊婦、乳幼児連れの人やベビーカーを押す人、子供連れの人なども快適に利用できるものである。
・また、一般家庭でも規模を小さくすることで十分利用可能で、ユニバーサルなトイレの為、どの年齢層にとっても便利で快適で、年をとっても使い続けることが可能である。
【符号の説明】
【００９５】
１  トイレ
２  便器本体
３  便座
４  便座開口部
５  便座可動部
６  背もたれ
７  手すり
８  手すり可動部
９  手すり土台
１０  トイレットペーパーホルダー
１１  ボールキャスター
１２  ボールキャスター土台
１３  転倒防止突起
１４  ボールキャスター土台外周部
１５  シリコーンラバー
１６  円周状の溝
１７  半球状の溝
１８  円周状の凸部
１９  排水構造
２０  トイレユニット
２１  トイレユニットドア
２２  介護ベッド
２３  洗面所
２４  左右のユニットを分割する内部壁面
２５  トイレユニット壁面
【要約】      （修正有）【課題】大きな力をかけなくても回転可能で、しかも横ずれしないので、体が不自由な人や力の弱い人でも利用することが可能であるトイレを提供する。【解決手段】ボールキャスター１１を備える便座３と、ボールキャスター１１が配置される円周状の溝を上面に有する便器本体２と、を含む便器である。円周上の溝内に半球状の溝を、ボールキャスター１１と同じ一定の間隔で同数設ける。ボールキャスター１１が円周上の溝を通って便座３が水平方向に回転するとき、半球状の溝を通過するが、半球状の溝は円周状の溝よりも深いため、回転させるための抵抗がかかる。これにより便座３が容易に回転するのを防ぎ、便座３を固定できる。【選択図】図５【図１】
0005825701.tif 000002
【図２】
0005825701.tif 000003
【図３】
0005825701.tif 000004
【図４】
0005825701.tif 000005
【図５】
0005825701.tif 000006
【図６】
0005825701.tif 000007
【図７】
0005825701.tif 000008
【図８】
0005825701.tif 000009
【図９】
0005825701.tif 000010
【図１０】
0005825701.tif 000011
【図１１】
0005825701.tif 000012
【図１２】
0005825701.tif 000013